(57)【要約】【課題】画像の明るさのちらつきを低減すること。【解決手段】撮像装置１００は、撮像光学系１により結像される被写体像を光電変換する撮像素子１０と、撮像素子１０への入射光量を調節する絞り２の絞り値、光電変換の蓄積時間、および光電変換の感度を、それぞれ制御する撮像制御部１７と、撮像素子１０からの光電変換信号に基づく画像を表示装置１３に逐次表示させる表示制御部１７と、絞り値の変更中における実際の絞り値を示す情報を取得する情報取得部１６と、を備え、撮像制御部１７は、絞り値を目標絞り値へ変更する場合に、目標絞り値と実際の絞り値との差に応じて感度または蓄積時間を増減する。【選択図】図１
2015177312.tif 000002
【特許請求の範囲】
【請求項１】
撮像光学系により結像される被写体像を光電変換する撮像素子と、
前記撮像素子への入射光量を調節する絞りの絞り値、前記光電変換の蓄積時間、および前記光電変換の感度を、それぞれ制御する撮像制御部と、
前記撮像素子からの光電変換信号に基づく画像を表示装置に逐次表示させる表示制御部と、
前記絞り値の変更中における実際の絞り値を示す情報を取得する情報取得部と、を備え、
前記撮像制御部は、前記絞り値を目標絞り値へ変更する場合に、前記目標絞り値と前記実際の絞り値との差に応じて前記感度または前記蓄積時間を増減することを特徴とする撮像装置。
【請求項２】
請求項１に記載の撮像装置において、
前記撮像制御部は、前記絞り値を前記目標絞り値へ変更するまでに前記画像が前記表示装置に複数回更新表示されるように、前記絞り値の変更速度を決めることを特徴とする撮像装置。
【請求項３】
請求項１または２に記載の撮像装置において、
前記情報取得部は、前記表示装置に表示される前記画像の更新周期に応じて前記実際の絞り値を示す情報を取得し、
前記撮像制御部は、前記情報取得部により前記情報が取得されるごとに前記感度または前記蓄積時間を変更することを特徴とする撮像装置。
【請求項４】
請求項１または２に記載の撮像装置において、
前記情報取得部は、前記表示装置に表示される前記画像の更新周期より短い間隔で前記実際の絞り値を示す情報を取得し、
前記撮像制御部は、前記情報取得部により前記情報が取得されるごとに前記感度または前記蓄積時間を変更することを特徴とする撮像装置。
【請求項５】
装着された交換レンズにより結像される被写体像を光電変換する撮像素子と、
前記交換レンズにおける絞りの絞り値、前記光電変換の蓄積時間、および前記光電変換の感度を、それぞれ制御する撮像制御部と、
前記撮像素子からの光電変換信号に基づく画像を表示装置に逐次表示させる表示制御部と、
前記絞り値の変更中における実際の絞り値を示す情報を前記交換レンズから取得する情報取得部と、を備え、
前記撮像制御部は、前記交換レンズの前記絞り値が目標絞り値へ変更される場合に、前記目標絞り値と前記実際の絞り値との差に応じて前記感度または前記蓄積時間を増減することを特徴とするカメラボディ。
【請求項６】
装着されたカメラボディの撮像素子へ被写体像を結像する撮像光学系と、
前記撮像素子への入射光量を調節する絞りと、
前記絞りの絞り値の変更中における実際の絞り値を検知する検知部と、
前記絞り値を目標絞り値へ変更中において、前記目標絞り値と前記実際の絞り値との差に応じて前記撮像素子による光電変換の感度または前記光電変換の蓄積時間を増減する前記カメラボディへ、前記検知部で検知された前記実際の絞り値を示す情報を送信する情報送信部と、
を備えることを特徴とする交換レンズ。
【請求項７】
装着された交換レンズにより結像される被写体像を撮像素子に光電変換させる処理と、
前記交換レンズにおける絞りの絞り値、前記光電変換の蓄積時間、および前記光電変換の感度を、それぞれ制御する撮像制御処理と、
前記撮像素子からの光電変換信号に基づく画像を表示装置に逐次表示させる表示制御処理と、
前記絞り値の変更中における実際の絞り値を示す情報を前記交換レンズから取得する情報取得処理と、
前記交換レンズの前記絞り値が目標絞り値へ変更される場合に、前記目標絞り値と前記実際の絞り値との差に応じて前記感度または前記蓄積時間を増減する増減処理と、
をコンピュータに実行させることを特徴とするカメラ用プログラム。
【発明の詳細な説明】
【技術分野】
【０００１】
本発明は、撮像装置、カメラボディ、交換レンズおよびカメラ用プログラムに関する。
【背景技術】
【０００２】
所定の周期で撮像した画像を表示部に逐次表示させるライブビュー表示時において、画像の明るさの急激な変動（ちらつき）を抑える技術が知られている（特許文献１参照）。従来技術では、1回の絞り駆動で駆動する絞り量を抑えてちらつきを抑制する一方で、露出が大きくずれている場合は駆動する絞り量が大きくされる。
【先行技術文献】
【特許文献】
【０００３】
【特許文献１】特開２０１１−１７２１４５号公報
【発明の概要】
【発明が解決しようとする課題】
【０００４】
しかしながら、絞りをシャッタ速度や感度とともに変化させる場合は、絞りの変更終了がシャッタ速度や感度の変更終了に比べて遅いため、シャッタ速度や感度の変更終了後において画像の明るさにちらつきが現れやすいという問題がある。
【課題を解決するための手段】
【０００５】
本発明による撮像装置は、撮像光学系により結像される被写体像を光電変換する撮像素子と、撮像素子への入射光量を調節する絞りの絞り値、光電変換の蓄積時間、および光電変換の感度を、それぞれ制御する撮像制御部と、撮像素子からの光電変換信号に基づく画像を表示装置に逐次表示させる表示制御部と、絞り値の変更中における実際の絞り値を示す情報を取得する情報取得部と、を備え、撮像制御部は、絞り値を目標絞り値へ変更する場合に、目標絞り値と実際の絞り値との差に応じて感度または蓄積時間を増減する。
本発明によるカメラボディは、装着された交換レンズにより結像される被写体像を光電変換する撮像素子と、交換レンズにおける絞りの絞り値、光電変換の蓄積時間、および光電変換の感度を、それぞれ制御する撮像制御部と、撮像素子からの光電変換信号に基づく画像を表示装置に逐次表示させる表示制御部と、絞り値の変更中における実際の絞り値を示す情報を交換レンズから取得する情報取得部と、を備え、撮像制御部は、交換レンズの絞り値が目標絞り値へ変更される場合に、目標絞り値と実際の絞り値との差に応じて感度または蓄積時間を増減する。
本発明による交換レンズは、装着されたカメラボディの撮像素子へ被写体像を結像する撮像光学系と、撮像素子への入射光量を調節する絞りと、絞りの絞り値の変更中における実際の絞り値を検知する検知部と、絞り値を目標絞り値へ変更中において、目標絞り値と実際の絞り値との差に応じて撮像素子による光電変換の感度または光電変換の蓄積時間を増減するカメラボディへ、検知部で検知された実際の絞り値を示す情報を送信する情報送信部と、を備える。
本発明によるカメラ用プログラムは、装着された交換レンズにより結像される被写体像を撮像素子に光電変換させる処理と、交換レンズにおける絞りの絞り値、光電変換の蓄積時間、および光電変換の感度を、それぞれ制御する撮像制御処理と、撮像素子からの光電変換信号に基づく画像を表示装置に逐次表示させる表示制御処理と、絞り値の変更中における実際の絞り値を示す情報を交換レンズから取得する情報取得処理と、交換レンズの絞り値が目標絞り値へ変更される場合に、目標絞り値と実際の絞り値との差に応じて感度または蓄積時間を増減する増減処理と、をコンピュータに実行させる。
【発明の効果】
【０００６】
本発明によれば、画像の明るさのちらつきを低減できる。
【図面の簡単な説明】
【０００７】
【図１】本発明の一実施の形態によるデジタルカメラの構成を例示するブロック図である。
【図２】制御部が実行する処理の流れを説明するフローチャートである。
【図３】プログラム線図を例示する図である。
【図４】絞りの駆動中における時間と絞りの実Ａｖ値の関係を例示する図である。
【図５】デジタルカメラに対するプログラムの供給を説明する図である。
【発明を実施するための形態】
【０００８】
以下、図面を参照して本発明を実施するための形態について説明する。図１は、本発明の一実施の形態によるデジタルカメラ１００の構成を例示するブロック図である。デジタルカメラ１００は、カメラ本体１００Ａと、カメラ本体１００Ａに対して着脱可能な撮影レンズ１００Ｂとで構成される。
【０００９】
図１において、カメラ本体１００Ａは、シャッタ７と、シャッタ駆動部８と、ドライバ９と、撮像素子１０と、画像処理部１１と、画像記憶部１２と、表示部１３と、露出制御部１４と、測光演算部１５と、通信部１６と、制御部１７と、操作部材１８と、を含む。また、撮影レンズ１００Ｂは、撮像光学系１と、絞り２と、絞り駆動部３と、ドライバ４と、レンズ制御部５と、レンズ通信部６と、を含む。
【００１０】
撮像光学系１は、被写体像を撮像素子１０上に結像させる。絞り２は、撮像素子１０へ入射する被写体光量を調節する虹彩絞りである。絞り駆動部３は、絞り２の開口径を変化させる。ドライバ４は、レンズ制御部５から送出される絞り駆動信号に応じて、絞り駆動部３を駆動する。レンズ制御部５は、レンズ通信部６を介してカメラ本体１００Ａ側からの絞り駆動指示を受けると、ドライバ４へ絞り駆動信号を送出する。レンズ制御部５は、絞り２の開口径を検知することも可能に構成されている。レンズ通信部６は、不図示のレンズマウントに設けられた通信端子を介して、カメラ本体１００Ａの通信部１６と通信を行う。
【００１１】
シャッタ７は、撮像素子１０の露光時間を制御する。なお、撮像素子１０の露光時間は、撮像素子１０における電荷蓄積時間を制御する方式（いわゆる電子シャッタ制御）によっても制御可能に構成されている。シャッタ駆動部８は、シャッタ７を開閉駆動する。ドライバ９は、制御部１７から送出されるシャッタ駆動信号に応じて、シャッタ駆動部８を駆動する。電子シャッタ制御により撮像素子１０の露光時間が制御される場合は、ドライバ９が撮像素子１０へ必要なタイミング制御信号を供給する。
【００１２】
撮像素子１０は、ＣＭＯＳイメージセンサなどによって構成される。撮像素子１０は、撮像面上に結像された被写体像を光電変換し、画像信号を出力する。画像処理部１１は、撮像素子１０から読み出され、不図示のＡ／Ｄ変換部でデジタル信号に変換された画像信号に対して所定の画像処理を行う。画像処理部１１はさらに、画像処理後の画像データに基づく再生画像を表示部１３に表示させるためのリサイズ処理などを行う。
【００１３】
画像記憶部１２は、制御部１７からの指示に基づいて画像ファイルを不図示の記録媒体に記録したり、記録媒体に記録されている画像ファイルを読出したりする。記録媒体は、例えば、図示しないカードスロットに着脱自在に取り付けられるメモリカードによって構成される。
【００１４】
表示部１３は液晶パネルによって構成される。表示部１３は、ライブビュー画像や再生画像、メニュー画面などを表示する。ここで、ライブビュー画像はプレビュー画像とも呼ばれ、撮像素子１０によって所定のフレームレート（例えば６０ｆｐｓ）で取得されるモニタ用の画像をいう。測光演算部１５は、画像信号に基づいて被写体の明るさ情報（Ｂｖ値）を検出する。露出制御部１４は、Ｂｖ値と、露出制御部１４内に格納されているプログラム線図の情報とに基づいて、絞り値Ａｖ、シャッタ速度Ｔｖ、および感度Ｓｖを決定する。感度は、撮像素子１０における光電変換効率を示すもので、ＩＳＯ感度とも呼ばれる。一般に、ＩＳＯ感度は光電変換素子による変換効率を変えたり、電荷蓄積信号に対する増幅ゲインを変えたりすることによって制御される。
【００１５】
通信部１６は、制御部１７からの指示に応じて、撮影レンズ１００Ｂのレンズ通信部６と通信を行う。この通信により、撮影レンズ１００Ｂのレンズ情報（焦点距離や可動レンズの位置を示す情報、絞り２の開口径（後述する実Ａｖ値に相当）を示す情報など）が撮影レンズ１００Ｂからカメラ本体１００Ａへ送信され、カメラ本体１００Ａからの制御情報（絞り２に対する駆動指示や撮像光学系１を構成する可動レンズ（例えばフォーカシングレンズ）に対する駆動指示など）がカメラ本体１００Ａから撮影レンズ１００Ｂへ送信される。
【００１６】
制御部１７は、制御プログラムを実行し、デジタルカメラ１００の各部に対する種々の制御を行う。上記絞り２に対する駆動指示は、操作部材１８を構成する不図示のコマンドダイヤルからの操作信号、または上記露出制御部１４による決定値（後述する目標Ａｖ値に相当）に基づいて、制御部１７が通信部１６を介して指示する。
【００１７】
操作部材１８は、電源スイッチ、シャッターボタン、モード切替えスイッチ、およびコマンドダイヤルなどを含み、各操作に応じた操作信号を制御部１７へ送出する。モード切替えスイッチは、後述する第１モードと第２モードとを切替えるためのスイッチである。コマンドダイヤルは、絞り値やシャッタ速度を手動で設定するためのダイヤルである。
【００１８】
本実施形態では、被写体の明るさに基づいて上記露出制御部１４が自動的に決定した絞り値、シャッタ速度、および感度による画像効果をライブビュー画像に反映させて表示部１３に表示する第１モードと、操作部材１８を構成するコマンドダイヤルを用いて設定された絞り値やシャッタ速度による画像効果をライブビュー画像に反映させて表示部１３に表示する第２モードとが、切替え可能に構成される。
【００１９】
＜ライブビュー表示＞
本実施形態は、被写体の明るさに基づいて上記露出制御部１４が自動的に決定した絞り値、シャッタ速度、および感度による画像効果をライブビュー画像に反映させて表示部１３に表示する第１モードにおける処理に特徴を有するので、以下の説明は第１モードを中心に行う。
【００２０】
＜フローチャートの説明＞
図２は、第１モードにおいて制御部１７が実行する処理の流れを説明するフローチャートである。制御部１７は、第１モードに切替え設定された場合に図２による処理を起動させる。図２によるプログラムは、制御部１７内の不揮発性メモリ１７ａに格納されている。
【００２１】
図２のステップＳ１において、制御部１７は撮影レンズ１００Ｂの初期化を指示してステップＳ２へ進む。これにより、通信部１６がレンズ通信部６と通信を行い、レンズ制御部５へ初期動作の指示を送信する。初期動作では、例えば絞り２を所定の開口径に駆動する。
【００２２】
ステップＳ２において、制御部１７は通信部１６へ指示を送り、撮影レンズ１００Ｂからレンズ情報を取得させてステップＳ３へ進む。レンズ情報は、絞り２の駆動速度情報を含む。
【００２３】
ステップＳ３において、制御部１７は、ライブビュー画像の表示を開始させてステップＳ４へ進む。これにより、撮像素子１０によって所定フレームレート（例えば６０ｆｐｓ）で撮像されたライブビュー画像が、表示部１３に逐次表示される。
【００２４】
ステップＳ４において、制御部１７は、測光演算部１５に測光演算を行わせてステップＳ５へ進む。これにより、測光演算部１５が画像信号に基づいて被写体の明るさ情報（Ｂｖ値）を検出する。ステップＳ５において、制御部１７は、露出制御部１４に露出演算を行わせてステップＳ６へ進む。これにより、露出制御部１４が、Ｂｖ値と、プログラム線図の情報とに基づいて絞り値Ａｖ、シャッタ速度Ｔｖ、および感度Ｓｖを決定する。図３は、プログラム線図を例示する図である。
【００２５】
図３に例示するプログラム線図は、最小口径絞りがＦ１６（Ａｖ＝８）、最大口径絞りがＦ４（Ａｖ＝４）の場合において、Ｂｖ値の増加に応じてシャッタ速度Ｔｖと絞りＡｖを略１：１の割合で上げていく制御を表すものである。
【００２６】
図３において、シャッタ速度１／３０秒および１／６０秒において、それぞれ感度Ｓｖを変化させている。例えば、Ｔｖ＜５（１／３０秒）の範囲ではＳｖ＝８（ＩＳＯ８００相当）とし、Ｔｖ＝５（１／３０秒）においてＢｖ値に応じて感度Ｓｖを８（ＩＳＯ８００相当）〜６（ＩＳＯ２００相当）の間で変化させる。
【００２７】
そして、５（１／３０秒）＜Ｔｖ＜６（１／６０秒）の範囲でＳｖ＝６（ＩＳＯ２００相当）とし、Ｔｖ＝６（１／６０秒）においてＢｖ値に応じて感度Ｓｖを６（ＩＳＯ２００相当）〜５（ＩＳＯ１００相当）の間で変化させる。さらに、Ｔｖ＞６（１／６０秒）の範囲ではＳｖ＝５（ＩＳＯ１００相当）とする。
【００２８】
上述したプログラム線図とすることで、被写体が十分明るく（６＜Ｂｖ）、１／６０秒より高速のシャッタ速度で撮影が可能な場合は、ＩＳＯ１００相当の感度を使用する。また、被写体輝度が暗いとき（Ｂｖ＜６）は、例えばＴｖ＝５（１／３０秒）より低速のシャッタ速度に変化させる前に感度Ｓｖを高く変更することで、手ぶれが生じにくくする。
【００２９】
図２の説明に戻って、制御部１７は、ステップＳ６においてＴｖ変更要か否かを判定する。制御部１７は、ステップＳ５で決定したＴｖ値が現在のＴｖ値と異なる場合はステップＳ６を肯定判定してステップＳ７へ進み、決定したＴｖ値が現在のＴｖ値と等しい場合はステップＳ６を否定判定してステップＳ８へ進む。
【００３０】
ステップＳ７において、制御部１７は、撮像素子１０の露光時間について、ステップＳ５で決定したＴｖ値へ変化させるようにＴｖ設定を指示してステップＳ８へ進む。これにより、ドライバ９が必要なタイミング制御信号を生成して撮像素子１０へ供給する。
【００３１】
ステップＳ８において、制御部１７は、Ｓｖ変更要か否かを判定する。制御部１７は、ステップＳ５で決定したＳｖ値が現在のＳｖ値と異なる場合はステップＳ８を肯定判定してステップＳ９へ進み、決定したＳｖ値が現在のＳｖ値と等しい場合はステップＳ８を否定判定してステップＳ１０へ進む。
【００３２】
ステップＳ９において、制御部１７は、撮像素子１０の露光感度について、ステップＳ５で決定したＳｖ値へ変化させるようにＳｖ設定を指示してステップＳ１０へ進む。これにより、ドライバ９が感度制御信号を撮像素子１０へ出力する。
【００３３】
ステップＳ１０において、制御部１７は、Ａｖ変更要か否かを判定する。制御部１７は、ステップＳ５で決定したＡｖ値（目標Ａｖ値）が、現在のＡｖ値と異なる場合はステップＳ１０を肯定判定してステップＳ１１へ進み、決定したＡｖ値（目標Ａｖ値）が現在のＡｖ値と等しい場合はステップＳ１０を否定判定してステップＳ１６へ進む。図３の例によれば、ステップＳ４において検出したＢｖ値と前回検出されているＢｖ値とが異なり、Ｂｖ値が３〜５または６〜１２の範囲にある場合は、Ａｖ変更要を判定する。一方、ステップＳ４において検出したＢｖ値と前回検出されているＢｖ値とがともに３以下、ともに５〜６、またはともに１２以上の場合は、Ａｖ変更不要を判定する。
【００３４】
ステップＳ１１において、制御部１７は、絞り２に対する駆動を指示してステップＳ１２へ進む。これにより、通信部１６がレンズ通信部６と通信を行い、絞り２をステップＳ５で決定したＡｖ値（目標Ａｖ値）まで所定速度で駆動するようにレンズ制御部５へ指示を送る。駆動速度は、ステップＳ２で取得した駆動速度の上限より遅い低速の駆動速度を用いる。
【００３５】
ステップＳ１２において、制御部１７は通信部１６へ指示を送り、撮影レンズ１００Ｂからレンズ情報を取得させてステップＳ１３へ進む。レンズ情報は、駆動中における絞り２の開口径（実Ａｖ値）を示す情報を含む。つまり、撮影レンズ１００Ｂは、カメラ本体１００Ａへ実Ａｖ値を示す情報を送信する。
【００３６】
ステップＳ１３において、制御部１７は、目標Ａｖ値と実Ａｖ値との差（ΔＥｖと呼ぶ）が所定値以上か否かを判定する。制御部１７は、｜ΔＥｖ｜が所定値以上の場合にステップＳ１３を肯定判定してステップＳ１５へ進み、｜ΔＥｖ｜が所定値より小さい場合にステップＳ１３を否定判定してステップＳ１４へ進む。所定値は、実Ａｖ値が目標Ａｖ値に等しいと判定するための判定閾値である。
【００３７】
ステップＳ１５において、制御部１７は、撮像素子１０の露光感度について、ステップＳ１３で算出したΔＥｖに相当する値を変化させるようにＳｖ設定を指示してステップＳ１２へ戻る。これにより、ドライバ９が感度制御信号を撮像素子１０へ出力する。ライブビュー画像を６０ｆｐｓで表示部１３に表示させる場合、ステップＳ１２へ戻った制御部１７は、絞り２を駆動しながら１／６０秒（表示部１３におけるライブビュー画像の更新周期、すなわち垂直同期時間に対応）ごとに上記ステップＳ１２、Ｓ１３、およびＳ１５の処理を繰り返すように制御を行う。
【００３８】
図４は、絞り２の駆動中における時間ｔと絞り２の開口径（実Ａｖ値）の関係を例示する図である。図４の横軸は時間を表し、縦軸はＡｖ値を表す。制御部１７は、例えばステップＳ４（図２）において検出したＢｖ値が８で、前回検出されているＢｖ値が６である場合に、絞り値をＦ５．６からＦ８（目標Ａｖ値）まで変化させる。
【００３９】
図４によれば、絞り２の駆動が時刻ｔ０から開始されるが、時刻ｔ４において絞り値がＦ８（目標Ａｖ値）に到達する前は、絞り２の開口径が目標Ａｖ値より大きくなる。このため、時刻ｔ０〜時刻ｔ４までライブビュー画像が明るくなりすぎる。そこで、制御部１７は、時刻ｔ０以降、１／６０秒ステップ（ライブビュー画像の更新周期）で目標Ａｖ値と実Ａｖ値との差（ΔＥｖ）をそれぞれ算出し、算出したΔＥｖに応じて感度を段階的に変化させる。
【００４０】
時刻ｔ０において実Ａｖ値はＦ５．６であり、ΔＥｖはΔＥｖ１である。また、時刻ｔ１において実Ａｖ値はＦａであり、ΔＥｖはΔＥｖ２である。さらに、時刻ｔ２において実Ａｖ値はＦｂであり、ΔＥｖはΔＥｖ３である。時刻ｔ３においては、実Ａｖ値はＦｃであり、ΔＥｖはΔＥｖ４である。
【００４１】
上記ステップＳ１５（図２）において制御部１７は、時刻ｔ０における感度をΔＥｖ１に相当する値だけ低く変化させて、ライブビュー画像の明るさを補正する。以降同様に、制御部１７は、時刻ｔ１における感度をΔＥｖ２に相当する値だけ低く変化させて、ライブビュー画像の明るさを補正する。さらに、制御部１７は、時刻ｔ２における感度をΔＥｖ３に相当する値だけ低く変化させ、時刻ｔ３における感度をΔＥｖ４に相当する値だけ低く変化させる。これにより、絞り２の駆動中におけるライブビュー画像の明るさを適切に補正できる。
【００４２】
制御部１７は、絞り値をＦ５．６からＦ８（目標Ａｖ値）まで変更するまでにライブビュー画像が表示部１３に複数回更新表示される（本例では、時刻ｔ０、ｔ１、ｔ２、ｔ３において表示）ように、絞り２の駆動速度を決める。例えば、絞り２の駆動開始時点のＡｖ値から目標Ａｖ値までの絞り２の駆動中にライブビュー画像が表示部１３に更新表示される回数（フレーム数）を、絞り２の駆動量にかかわらず同じにするように、絞り２の駆動速度を決める。
なお、絞り２の駆動量が大きいほど絞り２の駆動中にライブビュー画像が表示部１３に更新表示される回数（フレーム数）を多くするとともに、絞り２の駆動量が小さいほど絞り２の駆動中にライブビュー画像が表示部１３に更新表示される回数（フレーム数）を少なくするように、絞り２の駆動速度を決めてもよい。また、絞り２の駆動中にライブビュー画像が表示部１３に更新表示される回数（フレーム数）は、上述した４回に限らず、２回でも１０回でもよい。
【００４３】
図２に戻り、ステップＳ１４において、制御部１７は、撮像素子１０の露光感度について、ステップＳ１３で算出したΔＥｖに基づくＳｖ設定の解除（絞り２の駆動中におけるライブビュー画像の明るさ補正を終了）を指示してステップＳ１６へ進む。
【００４４】
ステップＳ１６において、制御部１７は、ライブビュー画像表示を終了するか否かを判定する。制御部１７は、ライブビュー表示を止める操作が行われた場合、または、レリーズボタンが押下され撮影処理を開始する場合に、ステップＳ１６を肯定判定して図２による処理を終了する。一方、制御部１７は、ライブビュー画像表示を終了しない場合はステップＳ１６を否定判定してステップＳ３へ戻る。
【００４５】
上述した実施の形態によれば、次の作用効果が得られる。
（１）デジタルカメラ１００は、撮像光学系１により結像される被写体像を光電変換する撮像素子１０と、撮像素子１０への入射光量を調節する絞り２の絞り値、電荷蓄積時間、および感度を、それぞれ制御する制御部１７と、撮像素子１０からの光電変換信号に基づくライブビュー画像を表示部１３に逐次表示させる制御部１７と、絞り値の変更中における実Ａｖ値を示す情報を取得する通信部１６と、を備え、制御部１７は、絞り値を目標Ａｖ値へ変更する場合に、目標Ａｖ値と実Ａｖ値との差に応じて感度を増減するようにした。これにより、ライブビュー画像の明るさのちらつきを低減できる。
【００４６】
（２）制御部１７は、絞り値を目標Ａｖ値へ変更するまでにライブビュー画像が表示部１３に複数回更新表示されるように、絞り値の変更速度を決めるようにした。これにより、絞り２を駆動する速度を必要以上に上げなくてもよい。
【００４７】
（３）通信部１６は、表示部１３に表示されるライブビュー画像の更新周期に応じて実Ａｖ値を示す情報を取得し、制御部１７は、通信部１６により情報が取得されるごとに感度を変更するようにした。これにより、変更後の感度が反映されたライブビュー画像が更新表示されるため、ライブビュー画像の明るさのちらつきが適切に抑えられる。
【００４８】
（４）カメラ本体１００Ａは、装着された撮影レンズ１００Ｂにより結像される被写体像を光電変換する撮像素子１０と、撮影レンズ１００Ｂにおける絞り２の絞り値、電荷蓄積時間、および感度を、それぞれ制御する制御部１７と、撮像素子１０からの光電変換信号に基づくライブビュー画像を表示部１３に逐次表示させる制御部１７と、絞り値の変更中における実Ａｖ値を示す情報を撮影レンズ１００Ｂから取得する通信部１６と、を備え、制御部１７は、撮影レンズ１００Ｂの絞り値が目標Ａｖ値へ変更される場合に、目標Ａｖ値と実Ａｖ値との差に応じて感度を増減するようにした。これにより、ライブビュー画像の明るさのちらつきを低減できる。
【００４９】
（５）撮影レンズ１００Ｂは、装着されたカメラ本体１００Ａの撮像素子１０へ被写体像を結像する撮像光学系１と、撮像素子１０への入射光量を調節する絞り２と、絞り２の絞り値の変更中における実Ａｖ値を検知するレンズ制御部５と、絞り値を目標Ａｖ値へ変更中において、目標Ａｖ値と実Ａｖ値との差に応じて撮像素子１０による光電変換の感度を増減するカメラ本体１００へ、レンズ制御部５で検知された実Ａｖ値を示す情報を送信するレンズ通信部６と、を備える。これにより、カメラ本体１００においてライブビュー画像の明るさのちらつきが低減され得る。
【００５０】
次のような変形も本発明の範囲内であり、変形例の一つ、もしくは複数を上述の実施形態と組み合わせることも可能である。
（変形例１）
上述した説明では、被写体の明るさに基づいて露出制御部１４が自動的に決定した絞り値、シャッタ速度、および感度による画像効果をライブビュー画像に反映させて表示部１３に表示する第１モードの場合を例にあげて、絞り２の駆動中におけるライブビュー画像の明るさを補正した。第１モードに加えて、操作部材１８を構成するコマンドダイヤルを用いて設定された絞り値やシャッタ速度による画像効果をライブビュー画像に反映させて表示部１３に表示する第２モードの場合にも、絞り値を変更する場合には、絞り２の駆動中におけるライブビュー画像の明るさを補正するように構成してもよい。
【００５１】
（変形例２）
絞り２の駆動中におけるライブビュー画像の明るさを補正するため、目標Ａｖ値と実Ａｖ値との差（ΔＥｖ）に応じて感度を段階的に変化させる例を説明したが、目標Ａｖ値と実Ａｖ値との差（ΔＥｖ）に応じてシャッタ速度を段階的に変化させる構成にしてもよい。目標Ａｖ値と実Ａｖ値との差（ΔＥｖ）に応じてシャッタ速度を変化させる場合にも、上記実施形態と同様に、ライブビュー画像の明るさのちらつきを低減できる。
【００５２】
（変形例３）
上述した実施形態では、絞り２の駆動とともにシャッタ速度を変化させる場合において、制御部１７が、シャッタ速度の変更を指示してから絞り２の駆動を指示した。シャッタ速度の変更指示は、絞り２の変更の開始時、絞り２の変更の終了時、絞り２の変更の途中時点の、いずれの時点で指示しても構わない。ここで、シャッタ速度や感度の変更は、絞り２を駆動している時間（絞り値の変更に要する時間）の間で小刻みに変更するのではなく、目標値まで一度に変更してもよい。
【００５３】
（変形例４）
本実施形態では、カメラ本体１００Ａに対して着脱可能な交換式の撮影レンズ１００Ｂを組合せるカメラを例に説明した。この代わりに、絞り２として虹彩絞りを備えるものであれば、レンズ一体型のカメラであってもよい。
【００５４】
（変形例５）
上記実施形態では、制御部１７が、図４の時刻ｔ０以降に１／６０秒ステップ（ライブビュー画像の更新周期）で目標Ａｖ値と実Ａｖ値との差（ΔＥｖ）をそれぞれ算出し、算出したΔＥｖに応じて感度を段階的に変化させるようにした。具体的には、制御部１７が、絞り２を駆動しながら上記更新周期に合わせてレンズ情報を取得し（ステップＳ１２）、ΔＥｖを算出し（ステップＳ１３）、算出したΔＥｖに応じて感度を変更する（ステップＳ１５）。通信部１６がレンズ情報を受信する（撮影レンズ１００Ｂがカメラ本体１００Ａへレンズ情報を送信する）間隔は、上記更新周期よりも短く設定してもよい。また、通信部１６がレンズ情報を受信する（撮影レンズ１００Ｂがカメラ本体１００Ａへレンズ情報を送信する）間隔は、絞り２の駆動中において短くし、絞り２の非駆動中においては絞り２の駆動中より長く変更してもよい。変形例５の場合にも、変更後の露光感度が反映されたライブビュー画像が更新表示されるため、ライブビュー画像の明るさのちらつきが適切に抑えられる。
【００５５】
（変形例６）
以上の説明では、被写体の明るさに基づいて露出制御部１４が自動的に決定した絞り値、シャッタ速度、および感度による画像効果をライブビュー画像に反映させる場合を例に説明したが、本実施形態は、上記絞り値、シャッタ速度、および感度による画像効果を、取得する動画像に反映させる場合にも好適である。動画像を取得する場合においても、絞り２の駆動中において各フレーム画像の明るさが適切に補正される。ここで、動画像を構成するフレーム画像の１つ（または複数でもよい）を静止画像として保存する場合には、明るさが補正された画像を保存することができる。
【００５６】
（変形例７）
図２に例示したカメラ処理を制御部１７に実行させるプログラムを、デジタルカメラ１００のカメラ本体１００Ａに対して後から供給してもよい。デジタルカメラ１００へのプログラムの供給は、例えば図５に例示するように、プログラムを格納したパーソナルコンピュータ２０５から赤外線通信や近距離無線通信によってデジタルカメラ１００へ送信することができる。
【００５７】
パーソナルコンピュータ２０５に対するプログラムの供給は、プログラムを格納したＣＤ−ＲＯＭなどの記憶媒体２０４をパーソナルコンピュータ２０５にセットして行ってもよいし、ネットワークなどの通信回線２０１を経由する方法でパーソナルコンピュータ２０５へローディングしてもよい。通信回線２０１を経由する場合は、当該通信回線に接続されたサーバー２０２のストレージ装置２０３などにプログラムを格納しておく。
【００５８】
また、プログラムを格納したメモリカードなどの記憶媒体２０４Ｂをデジタルカメラ１００にセットしてもよい。このように、プログラムは、記憶媒体や通信回線を介する提供など、種々の形態のコンピュータプログラム製品として供給できる。
【００５９】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００６０】
１…撮像光学系
２…絞り
５…レンズ制御部
６…レンズ通信部
１０…撮像素子
１１…画像処理部
１３…表示部
１４…露出制御部
１６…通信部
１７…制御部
１８…操作部材
１００…デジタルカメラ
１００Ａ…カメラ本体
１００Ｂ…撮影レンズ
【図１】
2015177312.tif 000003
【図２】
2015177312.tif 000004
【図３】
2015177312.tif 000005
【図４】
2015177312.tif 000006
【図５】
2015177312.tif 000007